(57)【要約】      （修正有）【課題】サーフボードのフィン構造に関し、フィンボックスのボードへの装着に際してボトム表面に合致した面を構成できると共に更にはフィンも確実に取り付けられ、更にはフィンに係る水の抵抗を広い面によって受けて、フィンのはずれや破損の防止が可能であるフィン構造を提供する。【解決手段】サーフボードに用いるフィン本体１０と取り付け基部１１とこの取り付け基部に連設した舌片部１２とを有するフィン１と、ケーシング内部にフィンの取り付け基部と舌片部とを収納可能な挿入部２２を含む空洞部を有するフィンボックス２からなり、フィンの舌片部の側辺がフィンの前方方向から後方方向に向かって傾斜した平行な傾斜辺２２０〜２２３によって構成される面とフィンボックスの該フィンの舌片部を挿入する挿入部の側辺が舌片部の傾斜辺の傾斜角度に一致する傾斜した傾斜辺からなる面とを有するフィン構造によって解決できる。【選択図】図３
2007160969.tif 000002
【特許請求の範囲】
【請求項１】
サーフボードに用いるフィン１とフィンボックス２からなるフィン構造であって、
フィン１はフィン本体１０と、取り付け基部１１と、この取り付け基部に連設した舌片部１２とを有し
フィンボックス２はケーシング内部にフィンの取り付け基部と舌片部とを収納可能な挿入部２２を含む空洞部を有し、
舌片部１２の側辺がフィンの前方方向から後方方向に向かって傾斜した平行な傾斜辺によって構成される面よりなるものであり、
フィンボックス２の該フィンの舌片部を挿入する挿入部２２の側辺が舌片部の傾斜辺の傾斜角度に一致する傾斜した傾斜辺からなる面によって構成したことを特徴とするフィン構造。
【請求項２】
該傾斜角が約４５度であることを特徴とする請求項１に記載のフィン構造。
【請求項３】
舌片部１２の傾斜辺間によって構成される舌片部の長さより、フィンボックスの挿入部の傾斜辺間の間隔が広いことを特徴とする請求項１又は２のいずれかに記載のフィン構造。
【請求項４】
フィンボックス２のフィン取り付け部の収納空間の奥行きがフィンの取り付け基部１１と舌片部１２の挿入方向の長さよりも長いものであり、
前記長さの差異部分がフィンボックス２の開口部周縁部２３であることを特徴とする請求項１乃至３のいずれかに記載のフィン構造。
【請求項５】
該長さの差異が３乃至４ミリであることを特徴とする請求項３記載のフィン構造。
【請求項６】
フィンボックス２を予めボードに装着した上でフィンボックス２の開口部周縁部２３を削ることによってボードの表面に平らにフィンボックスを装着し、該フィンボックス２の空洞部内にフィン取り付け部１１と舌片部１２を挿入するものであり、
該挿入は舌片部１２の傾斜辺によって構成される面と挿入部２２の傾斜辺によって構成される面とに沿って挿入することを特徴とする請求項１乃至５のいずれかに記載のフィン構造。
【請求項７】
舌片部１２を二つ又はそれ以上有することを特徴とする請求項１乃至６のいずれかに記載のフィン構造。
【請求項８】
取り付け基部１１に螺子部１３を有し、フィンボックス２にフィン１を装着した上で該螺子部１３によって螺子止めすることを特徴とする請求項１乃至７のいずれかに記載のフィン構造。
【請求項９】
フィンボックス２にフィン１を装着した際にフィンボックス２の空洞部とフィンの取り付け基部間１１に隙間を有し、該隙間に押え部３を挿入することによってフィンを係止するものであることを特徴とする請求項１乃至８のいずれかに記載のフィン構造。
【請求項１０】
該押え部３が磁性体からなり、フィンボックス２の空洞内に該押え部３が磁着するものであることを特徴とする請求項９に記載のフィン構造。
【請求項１１】
フィン本体１が該取り付け部１１近傍において厚みを有し、フィン先端に向かうに従って平板状となり、フィン本体の基部部分において裾野状の傾斜面を有することを特徴とする請求項１乃至１０のいずれかに記載のフィン構造。
【発明の詳細な説明】
【技術分野】
【０００１】
本発明は、サーフボードのフィンの構造に関する。
【背景技術】
【０００２】
従来よりサーフボードに関しては固定フィンタイプと着脱自在のフィンタイプが用いられてきている。
即ち、サーフボードの製造の工程に関し、その多くは基本的にシェープ工程、グラッシング工程、ホットコート工程、フィンボックスを取り付けてフィンを取り付ける工程或いはフィンを取り付ける工程、サンディング工程、グラッシング工程、サンディング工程、ポリッシュ工程を経て製造されるものである。
この場合、フィンに関しては取り付けの容易化を図るために前記のようにフィンボックスを用いる場合も多用されており、このフィンボックスを予め取り付けて、その上でこのフィンボックスにフィンを螺子止めするものが存在する。
【０００３】
係る構造に関しては、螺子止め等によってフィンボックスにしっかりとフィンを固定することによってフィンの配設を行うものである。
この場合、螺子の止め外しによって着脱自在に取り付けるものも存在する。
即ち、係止部材に嵌め込むことによってフィンを着脱自在にとめる構造として特表２００３−５２８００３号（特許文献１）があり、更には引っ掛け構造としては特開２００５−７４０２６号（特許文献２）と特開２００５−１１２２０６号（特許文献３）が存在する。
このほか特殊な係止部材によってフィンを着脱自在にとめる構造としては特表２００５−５０８７９８号（特許文献４）と特表２００５−５２６６６４号（特許文献５）が存在する。
更に螺子止めによる構造としては、特開平６‐２５５５７５号（特許文献６）と特表２００１−５２０９６１号（特許文献７）と特表２００２−５３０２４２号（特許文献８）が存在する。
【特許文献１】特表２００３−５２８００３号
【特許文献２】特開２００５−７４０２６号
【特許文献３】特開２００５−１１２２０６号
【特許文献４】特表２００５−５０８７９８号
【特許文献５】特表２００５−５２６６６４号
【特許文献６】特開平６‐２５５５７５号
【特許文献７】特表２００１−５２０９６１号
【特許文献８】特表２００２−５３０２４２号
【発明の開示】
【発明が解決しようとする課題】
【０００４】
以上の様に、サーフボードやボディボード等に取り付けるフィンの構造に関しては種々のものがあり、特に取り付けの確実性を期すためにきっちりと取り付けるものが存在する反面フィンの部分の突出部分が持ち運びや作業工程上邪魔になることから、その取り外しを可能としたもの等が存在する。
特に取り付け強度を保ち、更には簡単に取り付けを行うことが要求され、前記の通り各種の構造が存在している。
即ち、まず特表２００３−５２８００３号（特許文献１）に示す構成はＣ型クランプによってフィンのへこみに嵌め込んで取り付ける構造であるが、単にクランプによって嵌め込んだだけであることからフィンの抜け落ちなどの可能性を有するものである。
【０００５】
次に特開２００５−７４０２６号（特許文献２）の構成にあっては、フィンボックスの料側から突出形成した凸部にフィンの足の凹部を 嵌め込む構成であるが、この凸部部分に最も力が係るものであり、両側から突出形成した程度の凸部ではズレが生ずる可能性があるばかりでなく外れてしまう可能性もあった。
更に逆に凸部によってきっちりとフィンを係止した場合にはフィンの足の凹部に全ての力が掛かってしまい凹部の破損におそれがあった。
次に特開２００５−１１２２０６号（特許文献３）に関するフィンにおいてはＬ字状の溝にピンが引っかかり定置するが、フィンにかかる力はピン部分にかかることとなり破損の可能性があるばかりでなく前方からかかる力がピンのはずれにもつながるものであって、きっちりとした装着ができない可能性を有するものである。
【０００６】
更に、特表２００５−５０８７９８号（特許文献４）に関しては、特に構造が複雑であり、その分重量の高くなるばかりでなくコスト高になり、何らかの解決が求められるものである。
更に特表２００５−５２６６６４号（特許文献５）に関しても同様にコスト高になってしまうと共に構造が複雑であり、その分重量の高くなるものであり、バランス的に何らかの解決が望まれるものである。
又、特開平６‐２５５５７５号（特許文献６）に関しては、螺子止めであり、この螺子止め部分で押えることから、どうしてもこの螺子部分に力がかかってしまいこの部分からの破損につながりやすいものであった。
又、この螺子止めだけでとめるものであり、どうしても止着力の点で安全性が高くはないものであった。
【０００７】
更に、特表２００１−５２０９６１号（特許文献７）に関しても横方向から螺子を螺合して止着するものであり、該螺子部においてはフィンの横方向からの一点での螺子止めであり、どうしても横方向へのぐらつきが生じてしまうものとなる。
次に、特表２００２−５３０２４２号（特許文献８）に関しては、まさに螺子止めにて止められるがどうしても螺子止め部分だけでの止着となり一箇所に力が掛かってしまい破損の可能性が生じてしまうものである。
以上のように螺子止めによって係止する構成はどうしても該螺子止め部分でとめることからこの部分にのみ大きな力が掛かってしまうものであり、更にはこの構成ではないピン部分などでの係止であっても同様にその部分にのみ力がかかることとなりどうしても破損の可能性を有するものである。
【０００８】
従って、破損の可能性を排除するためにフィンに係る力によるその取り付け部分の力の分散を図るべく何らかの構成が必要となる。
更には、フィンボックスを用いた場合にはどうしてもフィンボックスの部分が弧状面を有するボードのボトム面の表面より飛び出た形となってしまうものであり、この部分の形成を行える何らかの構成が望まれているものである。
即ち、取り付けに際してフィンボックスがボトム表面に合致した面を構成でき更にはフィンも確実に取り付けられる何らかのフィン構造が要求されているものである。
【課題を解決するための手段】
【０００９】
以上の課題を解決するためにサーフボードのフィンの構造に関する発明を提供するものであり、まず請求項１記載の発明はサーフボードに用いるフィンとフィンボックスからなるフィン構造であって、フィンはフィン本体と、取り付け基部と、この取り付け基部に連設した舌片部とを有し、フィンボックスはケーシング内部にフィンの取り付け基部と舌片部とを収納可能な空洞部を有し、舌片部の側辺がフィンの前方方向から後方方向に向かって傾斜した平行な傾斜辺によって構成される面よりなるものであり、フィンボックスの該フィン舌片部を挿入する挿入部の側辺が舌片部の傾斜辺の傾斜角度に一致する傾斜した傾斜辺からなる面によって構成したフィン構造からなり、係る発明によって前記課題を解決できる。
【００１０】
或いは請求項２に係る発明の様に、該傾斜角が約４５度であるフィン構造でもよい。
更に請求項３に係る舌片部の傾斜辺間によって構成される舌片部の長さよりもフィンボックスの挿入部の傾斜辺間の間隔が広いフィン構造を用いてもよい。
又、請求項４に係る発明の様にフィンボックスのフィン取り付け部の収納空間の奥行きがフィンの取り付け基部と舌片部の挿入方向の長さよりもの長いものであり、前記長さの差異部分がフィンボックスの開口部周縁部であるフィン構造を用いてもよい。
この場合請求項５に係る発明の様に該長さの差異が３乃至４ミリであるフィン構造を用いるものでもよい。
【００１１】
これらの場合、請求項６に係る発明の様に、フィンボックスを予めボードに装着した上でフィンボックスの開口部周縁部を削ることによってボードの表面に平らにフィンボックスを装着し、該フィンボックスの空洞部内にフィン取り付け部と舌片部を挿入するものであり、該挿入は舌片部の傾斜辺によって構成される面と挿入部の傾斜辺によって構成される面に沿って挿入するフィン構造を用いることによってフィンボックスをボードにきれいに装着できると共にフィンもきっちりと取り付けできるものである。
更に請求項７に係る発明の様に舌片部に関して二つ又はそれ以上有するフィン構造を用いても傾斜辺での多数箇所の接触を可能とする。  
又、請求項８に係る発明の様に取り付け基部に螺子部を有し、フィンボックスにフィンを装着した上で該螺子部によって螺子止めする構造でも、請求項９にかかる発明の様にフィンボックスにフィンを装着した際にフィンボックスの空洞部とフィンの取り付け基部間に隙間を有し、該隙間に押え部を挿入することによってフィンを係止するものでも、或いは請求項１０に係る発明の様に該押え部が磁性体からなり、フィンボックスの空洞内に該押え部が磁着するものであるフィン構造を用いてもよい。
更に、請求項１１に係る発明の様にフィン本体が該取り付け部近傍において厚みを有し、フィン先端に向かうに従って平板状となり、フィン本体の基部部分において裾野状の傾斜面を有するフィン構造を用いてもよい。
【発明の効果】
【００１２】
本構成のフィン構造を用いることによって、まずフィン自体のフィンボックスへの取り付けが容易となり、極めて簡単に着脱できることとなる。
特に傾斜辺によって構成される面に沿って挿入できることから挿入が容易であり、後は螺子止め又は押え部材の装着によってきっちりと装着できることとなる。
例えば押え部材に磁性体を用いると極めて簡単なる着脱を行える。
更に装着後においては、使用時におけるフィンへかかる力は傾斜辺によって構成される面にかかることとなり、特に舌片部のフィン後方方向の面全体で力を受けると共に傾斜して嵌め込まれた状態の面に力がかかることからフィンの抜けが防止できるばかりでなく広い面に力がかかることから破損防止にもなる。
【００１３】
特に力がかかる部分が前記箇所であることから例えば二つ以上の舌片部を用いると更なる力の分散が図れ、抜け防止と共に穂損防止の確実性が高まるものである。
更にこれらのことは、螺子止め部や押え部にかかる力が極めて小さいことを意味するものであり、螺子部での破損などがなくなると共に前述のように押え部材の挿入や磁性体等での磁着を可能とする。
更に本発明の最も中心的な効果はあらかじめボードにフィンボックスを装着した上で開口部周縁部を削ることによってボードの表面に滑らかに又平らにフィンボックスを装着でき、水の抵抗をなくすことができるばかりでなく見た目も極めてきれいとなるものである。
【００１４】
特に従来より用いられているフィンボックスはそもそも樹脂素材がフィンボックス内に流れ込まないように立ち上がり周縁部を有しており、これが成型時においてもそのまま残っていたものであるが、本発明によって装着の確実生を図りつつ、これを削り取ることができるものとなる。
【発明を実施するための最良の形態】
【００１５】
図1は、本発明に係るサーフボードのフィンの一例を示す図である。
本図に示すフィン1に関して、フィン本体１０と、取り付け基部１１とこれに連接して突出形成される舌片部１２とからなるものである。
このフィンの本体形状１０は弧状に湾曲しているものであり一般的に多用されている一例を示すものである。
係る形状のフィンの取り付け部基部１１はフィン下部に突出しており、更にこの取り付け基部１１には２つの舌片部１２を有しており、それぞれの舌片部１２はフィン前方から後方にかけて傾斜した辺１２０、１２１、１２２、１２３からなる面を有する側面視平行四辺形からなり、本図に示すフィン前方の傾斜角度は約４５度程度の傾斜角を有するものである。  
又、取り付け基部１１の前方も同様に傾斜辺１１０からなる面を有しているものである。
尚、 本図構成においては、この取り付け基部１１の前方に螺子の嵌入用の孔１３を有している。
【００１６】
図２は、図１のフィンを取り付けるためのケーシング部内部にフィンの取り付け用の空間を有するフィンボックス２を示す図である。
本図に示すようにフィンボックス２には舌片部１２を嵌入するための傾斜辺２２０、２２１、２２２、２２３からなる面によって空洞部を形付けられ、導通路として機能する２つの側面視平行四辺形からなる空洞状の挿入部２２を有するものである。  
この挿入部２２の前方及び後方の各辺を構成する傾斜辺部２２０、２２１、２２２、２２３は舌片部１２の傾斜辺１２０、１２１、１２２、１２３の傾斜角度と同一の傾斜角度を有する辺より構成されており、この傾斜辺によって構成される面の傾斜面に沿ってフィンが前方から後方に斜めに挿入可能となっている。
更にこの挿入部２２は舌片部１２よりもやや大きいものであり、舌片部１２をストレスなく挿入可能としている。
特に本図構成においては前方に位置する挿入部２２は後方に位置する挿入部２２よりも間隔の大きい即ち前方から後方に向かっての幅の広い空洞からなる挿入部２２となっている。
【００１７】
図３は当初取り付け時点におけるフィンボックス２とフィン１の関係を示す図である。
本図に示すようにフィン１の舌片部１２は挿入部２２に対してそれぞれ傾斜辺に沿って挿入可能となっていると共に取り付け基部１１の前方の傾斜辺部分１１０もフィンボックス2の傾斜辺２１０に沿って装着可能となっている。
更に、フィンボックスの前方に位置する挿入部２２部分が若干大きいものであり、傾斜辺に沿って舌片部１２を挿入しやすくしているものであると共にフィン１とフィンボックス２間においては両者間に若干の隙間を有する。
但し、フィンボックス２の開口部周縁部分２３によってフィン取り付け基部１１が接触することからフィンボックス内部にフィン取り付け基部１１が挿入できない状態となっているものである。
【００１８】
即ち本図では開口部周縁部分２３が約３乃至４ミリ程度の高さを有するものであり、この部分によって遊び部分としても機能するものである。
この間隔は、本図ではフィン１を浮かせた状態として明示するものであり、そのままフィン１をフィンボックス２の奥まで挿入した場合には前方部分でフィンボックスの上部部分が飛び出すこととなると共にフィン取り付け部の後方部分ではフィンが引っかかって奥まで入らない傾斜した状態となる。
即ち、このままの状態ではなく、ボードにフィンボックス２を装着して開口部をこのボード面の表面と平らになるように削ることによって開口部分周囲が削り取られて本来のフィンを収納可能なフィンボックスとして成立することとなるものである。
【００１９】
これはフィンボックス２の開口部周縁部分が突出した状態であることから、フィンボックス２をボードに装着した際にボトム面の傾斜にあわせて、フィンボックス２の開口部周縁を削り取ってボトム形状に合わせることによってこの遊び部分を削り取りフィンをきれいに装着できることとなる。
このことはボトム面が側部方向と後端方向に向かってそれぞれ微妙なラウンド形状を有しており、フィンボックス２をボトム面にきっちりと面一で取り付けるにはフィンボックスを取り付けた後にサンディングなどによってボトム面と共に或いはボトム面に併せた表面形状とすることが必要である。  
従って、フィンボックスとフィン取り付け部分との形状をきっちりと合致させた従来の組み合わせにおいては、フィンボックスの開口部端片部がボード表面から突出した形状となるものであり、該部分を削って平らにする場合には前記サンディングなどによって取り付け部分を削リトルこととなってしまいフィンボックスの本来の形状から逸脱して取り付け強度が落ちてしまう恐れがある。
これに対して本発明にあってはそもそも、予め削る部分を考慮してフィンボックス自体に遊びを有しておくことによって、サンディング等により更にきっちりとした装着ができることとなる。
【００２０】
図４は、フィンボックス２をボードに取り付けてフィンボックスの開口周縁部を削り取ってフィン１を取り付けた状態を示す図であり、きっちりと装着している一例を示す図である。
この様にきっちりと装着することによって、フィンをきっちりと装着できることとなる。
更にフィン前方から水などの抵抗が掛かった場合でも、その力はそれぞれの傾斜辺によって構成される面のうち後方に位置する辺１２１、２２１、１２３、２２３により構成される面にかかるものであり、この面即ち広い面積で力を受けることとなり、破損の防止が図れるものである。
【００２１】
特に本図構成においては、螺子止め部分１３に係る力は前方に傾斜して移動することを防止するためであり、前方から係る力に対しては特段ここに抵抗力がかかるものではないことから螺子止め部には特段の力は掛からないものとなる。
以上のように、フィンボックスのフィン取り付け部の収納空間即ち空洞部分の奥行きがフィンの取り付け基部と舌片部との挿入方向の長さよりも奥行きが長いものであり、前記長さの差異部分がフィンボックスの開口部周縁部であることによってこの部分を削り取ればきっちりと装着できることとなる。
【００２２】
図５は、フィンの取り付け部分の他の例を示す図であり、フィンの取り付け基部１１に連接する舌片部１２がひとつの舌片部によって構成される他の例を示す図である。
従ってこれに応じてフィンボックス２の挿入部２２も取り付け基部１１に対応する部分と側面視略平行四辺形状の舌片部１２に対応したやや大きい挿入部２１部分を有するものである。
本図構成によっても同様に傾斜辺１２０、１２３、２２０、２２３を有しており、この傾斜辺によって構成される面に沿って、即ちこの傾斜角度に沿って挿入でき、簡単に取り付けできると共に前方よりの力は後方の傾斜辺により構成される面にかかることになり、傾斜辺により構成される面全体で力を受けることから装着強度は強い上に破損の心配もない。
【００２３】
この場合においても螺子止め部分は前方方向への移動を防止するものであり、前方から係る力に対しては螺子部分には特段の力はかからないものである。
尚、傾斜角度は４５度を図面上明示するがこの角度に限定されるものではなく、これよりも角度がゆるい鈍角の傾斜角度を 有する傾斜辺によって構成される面であっても、或いはこれ以上の角度のきつい鋭角構成の傾斜角度からなる傾斜辺によって構成される面を用いたものであってもよい。
更に、舌片部１２に関しては、二つも受けた構成のほか本図に示すように一つ設けた構成であってもよく、図示しないが三つ以上も受けたものであってもよい。
【００２４】
複数も受けた場合においてはそれぞれの舌片部が同じ大きさ形状のものであることに限らず異なる大きさや形状のものであってももちろんよい。
この場合においてフィンボックスの挿入部に関してもそれぞれに応じた構成であればよく、少なくとも舌片部が挿入可能な任意の大きさであればよい。
従って、舌片部よりも任意の程度挿入部が大きいものであってもよい。
【００２５】
図６は、フィンの取り付け基部１１の螺子止め用の突出部分を別部材によって構成した他の一例を示す図である。
即ちフィンの取り付け基部１１と舌片部１２とフィン本体１０からなるフィン１をフィンボックス２に挿入した場合に取り付け基部１１の前方が舌片部１２の傾斜辺の傾斜角度に沿った傾斜辺を 有する面部分を有することによって、フィンボックス２には側面視略平行四辺形状であって一定幅の隙間を有することとなる。
この隙間に別部材よりなる押え部３を挿入することによってフィンを係止できるものである。
【００２６】
即ち傾斜面を有する隙間であって、かかる隙間部分に押え部３を斜めに挿入することによって簡単には取り外れない状態で差し込まれることとなる。
この押え部３に関しては、螺子止めによってボードに止着するものであっても或いは磁性体によって磁力で係止するものであっても、粘着部材などで止着するものであってもよい。
この部分は前述の通り、フィン取り付け後のサーフボード使用時における前方からの力に対しては、この部分は特段力が掛からないものであることから一定の止着力を有するものであればよい。
【００２７】
尚、本図ではこの押え部は略平行四辺形を示すがこの形状に限らず、その他の四角形状や三角形状などであってもよい。
又、フィン自体に関しては、板状のフィンを用いても或いはフィンの付け根部分即ち取り付け基部近傍のフィンが肉厚構成であってもよい。
例えばフィン本体の基部部分が所謂裾野状の傾斜面を有するものでもよい。
これによりすい理由の抵抗を提言できると共にフィンの基部部分の強度を効率的に増加でき、更にはボードとの連設がきれいに行えることとなる。
【図面の簡単な説明】
【００２８】
【図１】本発明に係るサーフボードのフィンの一例を示す図
【図２】本発明に係るサーフボードのフィンボックスの一例を示す図
【図３】フィンボックスにフィンを装着した状態の一例を示す図
【図４】本発明に係るサーフボードのフィンボックスをボードに取り付けて開口周縁を サンディングしフィンを 取り付けた状態の一例を示す図
【図５】本発明に係るサーフボードのフィンとフィンボックスの他の一例を示す図
【図６】本発明に係るフィンをフィンボックスに取り付ける際に押え部を用いた一例を示す図
【符号の説明】
【００２９】
１        フィン
１０      フィン本体
１１      取り付け基部
１２      舌片部
１１０    傾斜辺
１２０    傾斜辺
１２１    傾斜辺
１２２    傾斜辺
１２３    傾斜辺
１３      螺子部
２        フィンボックス
２２      挿入部
２３      開口部周縁部
２１０    傾斜辺
２２０    傾斜辺
２２１    傾斜辺
２２２    傾斜辺
２２３    傾斜辺
【図１】
2007160969.tif 000003
【図２】
2007160969.tif 000004
【図３】
2007160969.tif 000005
【図４】
2007160969.tif 000006
【図５】
2007160969.tif 000007
【図６】
2007160969.tif 000008